(57)【要約】【課題】処理時間が短くなる画像記録装置を提供することを課題とする。【解決手段】記録媒体１に対して記録を行う記録手段２と、前記記録手段２により記録の行われた前記記録媒体１をカットするカット手段５と、前記記録手段に前記記録媒体を搬送する第１の搬送手段３と、前記カット手段に前記記録媒体を搬送する第２の搬送手段４と、からなり、前記第１の搬送手段３と、前記第２の搬送手段４とを独立して駆動することにより、画像記録のための記録媒体搬送と、記録媒体の切断のための記録媒体搬送とを独立に制御する。【選択図】図１
2010162902.tif 000002
【特許請求の範囲】
【請求項１】
記録媒体に対して記録を行う記録手段と、
前記記録手段により記録の行われた前記記録媒体をカットするカット手段と、
前記記録手段に前記記録媒体を搬送する第１の搬送手段と、
前記カット手段に前記記録媒体を搬送する第２の搬送手段と、
からなり、
前記第１の搬送手段と、前記第２の搬送手段とを独立して駆動することにより、画像記録のための記録媒体搬送と、記録媒体の切断のための記録媒体搬送とを独立に制御することを特徴とする画像記録装置。
【請求項２】
前記第１の搬送手段と、前記第２の搬送手段との間に移動可能に設けられ、前記第１の搬送手段と、前記第２の搬送手段との間の前記記録媒体に対して当接するローラと、
前記ローラに対して圧力をかける加圧手段と、
を有することを特徴とする請求項２記載の画像記録装置。
【請求項３】
前記第１の搬送手段と、前記第２の搬送手段との間でたるんだ前記記録媒体のたるみ量を検知するたるみ量検知手段を設けたことを特徴とする請求項１または２記載の画像記録装置。
【請求項４】
前記たるみ量検知手段で検知した記録媒体のたるみ量が所定量以上となったときは、前記記録手段による記録を一時停止することを特徴とする請求項３記載の画像記録装置。
【請求項５】
前記たるみ量検知手段で検知した記録媒体のたるみ量が所定量以下となったときは、前記カット手段による前記記録媒体のカットを一時停止することを特徴とする請求項３または４記載の画像記録装置。
【請求項６】
前記記録手段は、インクを噴射して記録を行うことを特徴とする請求項１乃至５のいずれかに記載の画像記録装置。
【請求項７】
前記カット手段による前記記録媒体のカット位置を制御するカット位置制御手段を有することを特徴とする請求項１又は６記載の画像記録装置。
【請求項８】
前記カット位置制御手段は、前記搬送手段の駆動を制御することを特徴とする請求項７記載画像記録装置。
【請求項９】
カット位置を検知するカット位置検知手段を有し、
前記カット位置制御手段は、前記カット位置検知手段の情報により前記カット位置を制御することを特徴とする請求項７又８記載の画像記録装置。
【請求項１０】
前記カット位置検知手段は、前記搬送手段の搬送量を検知することを特徴とする請求項９記載の画像記録装置。
【請求項１１】
前記カット位置検知手段は、前記記録媒体の先端を検知する先端検知手段を含むことを特徴とする請求項９または１０記載の画像記録装置。
【請求項１２】
前記先端検知手段は、記録する画像の大きさに対応して複数設けられていることを特徴とする請求項１１記載の画像記録装置。
【請求項１３】
前記カット位置検知手段は、前記記録媒体に設けられたカット位置指示手段を検知することを特徴とする請求項９乃至１２のいずれかに記載の画像記録装置。
【請求項１４】
前記カット位置指示手段は、記録時に前記記録媒体に記録されることを特徴とする請求項１３記載の画像記録装置。
【請求項１５】
前記カット位置指示手段は、予め前記記録媒体に記録されていることを特徴とする請求項１３記載の画像記録装置。
【請求項１６】
前記カット位置指示手段は、可視外波長の吸収性がある所定のパターンであることを特徴とする請求項１３乃至１５のいずれかに記載の画像記録装置。
【請求項１７】
前記カット位置指示手段は、前記記録媒体の記録面側に設けられていることを特徴とする請求項１３乃至１６のいずれかに記載の画像記録装置。
【請求項１８】
前記カット位置指示手段は、前記記録媒体の記録面側と反対側に設けられていることを特徴とする請求項１３乃至１６のいずれかに記載の画像記録装置。
【請求項１９】
前記カット手段は、前記カット位置指示手段の前後２カ所で記録媒体を切断することを特徴とする請求項１３乃至１８のいずれかに記載の画像記録装置。
【請求項２０】
前記カット手段は、前記記録媒体の２カ所を連続的に切断することを特徴とする請求項１３乃至１９のいずれかに記載の画像記録装置。
【請求項２１】
前記カット手段は、前記記録媒体の２カ所を同時に切断することを特徴とする請求項１３乃至２０のいずれかに記載の画像記録装置。
【請求項２２】
前記カット位置制御手段は、記録する画像の大きさに応じて、前記カット位置指示手段の前後の切断箇所の間の距離を変えることを特徴とする請求項１９乃至２１のいずれかに記載の画像記録装置。
【請求項２３】
前記カット位置指示手段の大きさ、前記カット位置指示手段の前後に設けるパターンの大きさ、前記カット位置指示手段の前後に設ける無記録領域の大きさのうち少なくとも１つを記録する画像の大きさに応じて変化させることを特徴とする請求項１３乃至２２のいずれかに記載の画像記録装置。
【請求項２４】
前記記録媒体に記録される画像を一時格納する画像メモリと、
前記記録手段で前記記録媒体上に記録された画像を撮像する撮像手段と、
該撮像手段で撮像された前記記録媒体上の画像情報と、前記画像メモリに格納された画像情報とを照合する画像照合部と、
を有し、
前記カット位置制御手段は、前記画像照合部からの情報に基づき、前記記録媒体を切断できるタイミングになったら、前記カット手段を駆動して前記記録媒体を切断することを特徴とする請求項１９乃至２１のいずれかに記載の画像記録装置。
【発明の詳細な説明】
【技術分野】
【０００１】
本発明は、画像記録装置に関し、更に詳しくは、長尺の記録媒体、例えば、ロール状に巻回された記録媒体上に画像記録を行い、画像記録された記録媒体をシート状に切断する画像記録装置に関する。
【背景技術】
【０００２】
図２０は、従来の画像記録装置の構成図である。図において、ロール状に巻回された記録媒体１０００は、搬送手段としてのローラ対１００３によって、矢印Ｉ方向に挟持搬送されるようなっている。
【０００３】
ローラ対１００３の下流には、記録媒体１０００の幅方向に対してインクを噴射して記録を行う記録手段１０２０が設けられている。本従来例の記録手段１０２０は、インクを噴射する記録ヘッド１０２１と、記録ヘッド１０２１を記録媒体１０００の搬送方向に対して直交する方向（記録媒体１０００の幅方向：図において紙面に対して垂直な方向）に搬送するキャリッジ１００２とからなっている。
【０００４】
又、記録手段１０２０の下流には、記録媒体１０００上に噴射されたインクを乾燥させるインク乾燥手段１００７が設けられている。更に、記録媒体１０００の画像記録面と反対面側には、記録手段１０２０と対向し、記録媒体１０００を吸引して画像記録時の記録媒体１０００の浮き上がりを防止する吸引手段１００６が設けられている。
【０００５】
インク乾燥手段１００７の下流側には、記録媒体１０００を切断するカッタ１００５及び切断された記録媒体１０００を収納する排紙皿１００８が設けられている。
【０００６】
次に、上記構成の動作を説明する。キャリッジ１００２が記録媒体１０００の幅方向へ移動することにより、記録媒体１０００上には幅方向にライン状の画像が記録される。
【０００７】
ライン状の画像が記録されたならば、ローラ対１００３が駆動され、記録手段１０２０が所定量矢印Ｉ方向へ移動する。そして、また、キャリッジ１００２が記録媒体１０００の幅方向へ移動することにより、記録媒体１０００上に幅方向のライン状の画像が記録される。
【０００８】
これを繰返すことにより、記録媒体１０００上に１つの画像が記録される。１つの画像の記録が完了したならば、ローラ対１００３により、記録された画像の終端がカッタ１００５に対向する位置まで記録媒体１０００が矢印Ｉ方向に送り出される。
【０００９】
そして、カッタ１００５が画像の終端近傍を切断し、シート状の記録媒体１０００が排紙皿１００８上に載置される。記録媒体１０００の切断後、ローラ対１００３が、先程とは逆方向に回転し、記録媒体１０００の先端が記録手段１０２０に対向する位置まで引き戻され、次の画像記録が行われる。
【発明の開示】
【発明が解決しようとする課題】
【００１０】
上記構成の画像記録装置では、１つの画像が記録されたならば、記録媒体１０００は記録された画像の終端がカッタ１００５に対向する位置まで送り出され、切断後、記録媒体１０００の先端が記録手段１０２０に対向する位置まで引き戻される。
【００１１】
即ち、切断時に記録媒体１０００の送り出し、引き戻し動作が必要であり、その間は画像記録ができず、処理時間が長くなるという問題点がある。又、ノズル数の多い記録ヘッドを用いる場合には、１つのライン状の画像を記録した後、所定量矢印Ｉ方向へ移動させる量（副走査量）が大きくなるので、小サイズの画像を記録する場合には、切断のための処理時間比率が増加し、画像記録していない比率が増加する。
【００１２】
本発明は、上記問題点に鑑みてなされたもので、その課題は、処理時間が短くなる画像記録装置を提供することにある。
【課題を解決するための手段】
【００１３】
請求項１に係る発明は、記録媒体に対して記録を行う記録手段と、前記記録手段により記録の行われた前記記録媒体をカットするカット手段と、前記記録手段に前記記録媒体を搬送する第１の搬送手段と、前記カット手段に前記記録媒体を搬送する第２の搬送手段と、らなり、前記第１の搬送手段と、前記第２の搬送手段とを独立して駆動することにより、画像記録のための記録媒体搬送と、記録媒体の切断のための記録媒体搬送とを独立に制御することを特徴とする画像記録装置である。
【００１４】
請求項２に係る発明は、前記第１の搬送手段と、前記第２の搬送手段との間に移動可能に設けられ、前記第１の搬送手段と、前記第２の搬送手段との間の前記記録媒体に対して当接するローラと、前記ローラに対して圧力をかける加圧手段と、を有することを特徴とする請求項２記載の画像記録装置である。
【００１５】
請求項３に係る発明は、前記第１の搬送手段と、前記第２の搬送手段との間でたるんだ前記記録媒体のたるみ量を検知するたるみ量検知手段を設けたことを特徴とする請求項１または２記載の画像記録装置である。
【００１６】
請求項４に係る発明は、前記たるみ量検知手段で検知した記録媒体のたるみ量が所定量以上となったときは、前記記録手段による記録を一時停止することを特徴とする請求項３記載の画像記録装置である。
【００１７】
請求項５に係る発明は、前記たるみ量検知手段で検知した記録媒体のたるみ量が所定量以下となったときは、前記カット手段による前記記録媒体のカットを一時停止することを特徴とする請求項３または４記載の画像記録装置。
【００１８】
請求項６に係る発明は、前記記録手段は、インクを噴射して記録を行うことを特徴とする請求項１乃至５のいずれかに記載の画像記録装置である。
【００１９】
請求項７に係る発明は、前記カット手段による前記記録媒体のカット位置を制御するカット位置制御手段を有することを特徴とする請求項１又は６記載の画像記録装置である。
【００２０】
請求項８に係る発明は、前記カット位置制御手段は、前記搬送手段の駆動を制御することを特徴とする請求項７記載画像記録装置である。
【００２１】
請求項９に係る発明は、カット位置を検知するカット位置検知手段を有し、前記カット位置制御手段は、前記カット位置検知手段の情報により前記カット位置を制御することを特徴とする請求項７又８記載の画像記録装置である。
【００２２】
請求項１０に係る発明は、前記カット位置検知手段は、前記搬送手段の搬送量を検知することを特徴とする請求項９記載の画像記録装置である。
【００２３】
請求項１１に係る発明は、前記カット位置検知手段は、前記記録媒体の先端を検知する先端検知手段を含むことを特徴とする請求項９または１０記載の画像記録装置である。
【００２４】
請求項１２に係る発明は、前記先端検知手段は、記録する画像の大きさに対応して複数設けられていることを特徴とする請求項１１記載の画像記録装置である。
【００２５】
請求項１３に係る発明は、前記カット位置検知手段は、前記記録媒体に設けられたカット位置指示手段を検知することを特徴とする請求項９乃至１２のいずれかに記載の画像記録装置である。
【００２６】
請求項１４に係る発明は、前記カット位置指示手段は、記録時に前記記録媒体に記録されることを特徴とする請求項１３記載の画像記録装置。である。
【００２７】
請求項１５に係る発明は、前記カット位置指示手段は、予め前記記録媒体に記録されていることを特徴とする請求項１３記載の画像記録装置である。
【００２８】
請求項１６に係る発明は、前記カット位置指示手段は、可視外波長の吸収性がある所定のパターンであることを特徴とする請求項１３乃至１５のいずれかに記載の画像記録装置である。
【００２９】
請求項１７に係る発明は、前記カット位置指示手段は、前記記録媒体の記録面側に設けられていることを特徴とする請求項１３乃至１６のいずれかに記載の画像記録装置である。
【００３０】
請求項１８に係る発明は、前記カット位置指示手段は、前記記録媒体の記録面側と反対側に設けられていることを特徴とする請求項１３乃至１６のいずれかに記載の画像記録装置である。
【００３１】
請求項１９に係る発明は、前記カット手段は、前記カット位置指示手段の前後２カ所で記録媒体を切断することを特徴とする請求項１３乃至１８のいずれかに記載の画像記録装置である。
【００３２】
請求項２０に係る発明は、前記カット手段は、前記記録媒体の２カ所を連続的に切断することを特徴とする請求項１３乃至１９のいずれかに記載の画像記録装置である。
【００３３】
請求項２１に係る発明は、前記カット手段は、前記記録媒体の２カ所を同時に切断することを特徴とする請求項１３乃至２０のいずれかに記載の画像記録装置である。
【００３４】
請求項２２に係る発明は、前記カット位置制御手段は、記録する画像の大きさに応じて、前記カット位置指示手段の前後の切断箇所の間の距離を変えることを特徴とする請求項１９乃至２１のいずれかに記載の画像記録装置。
【００３５】
請求項２３に係る発明は、前記カット位置指示手段の大きさ、前記カット位置指示手段の前後に設けるパターンの大きさ、前記カット位置指示手段の前後に設ける無記録領域の大きさのうち少なくとも１つを記録する画像の大きさに応じて変化させることを特徴とする請求項１３乃至２２のいずれかに記載の画像記録装置である。
【００３６】
請求項２４に係る発明は、前記記録媒体に記録される画像を一時格納する画像メモリと、前記記録手段で前記記録媒体上に記録された画像を撮像する撮像手段と、該撮像手段で撮像された前記記録媒体上の画像情報と、前記画像メモリに格納された画像情報とを照合する画像照合部と、有し、前記カット位置制御手段は、前記画像照合部からの情報に基づき、前記記録媒体を切断できるタイミングになったら、前記カット手段を駆動して前記記録媒体を切断することを特徴とする請求項１９乃至２１のいずれかに記載画像記録装置である。
【発明の効果】
【００３７】
請求項１に係る発明によれば、前記第１の搬送手段と、前記第２の搬送手段とを独立して駆動することにより、画像記録のための記録媒体搬送と、記録媒体の切断のための記録媒体搬送とを独立に制御することにより、画像記録動作を停止することなく記録媒体を切断することが可能となり、処理時間が短くなる。
【００３８】
請求項２に係る発明によれば、前記第１の搬送手段と、前記第２の搬送手段との間に移動可能に設けられ、前記第１の搬送手段と、前記第２の搬送手段との間の前記記録媒体に対して当接するローラと、前記ローラに対して圧力をかける加圧手段と、を有することにより、ローラが記録媒体の滞留に応じて移動することにより、記録媒体の残留量を調節することができ、また、記録媒体の滞留の程度が検知できる。前記位置可変に設けられたローラに対して圧力をかける加圧手段を有することにより、位置可変に設けられたローラが記録媒体の滞留に精度よく追従する。
【００３９】
請求項３に係る発明によれば、例えば、前記位置可変のローラの位置を検出する位置検知センサを設けることにより、残留量を検知できる。
【００４０】
請求項４に係る発明によれば、滞留量検知手段で検知した記録媒体滞留量が所定量以上となったときは、前記記録手段による記録を一時停止することにより、アキューム手段内での記録媒体のあふれを防止することができる。
【００４１】
請求項５に係る発明によれば、滞留量検知手段で検知した記録媒体滞留量が所定量以下となったときは、前記カット手段による前記記録媒体のカットを一時停止することにより、記録手段における記録に影響を及ぼさない。
【００４２】
請求項６に係る発明によれば、出力が遅いインクを噴射して記録を行う記録手段に、請求項１乃至６のいずれかにに係る発明を適用することにより、画像記録動作を停止することなく記録媒体を切断することが可能となり、処理時間が短くなる。
【００４３】
請求項７に係る発明によれば、カット手段によるカット位置を制御するカット位置制御手段を有することで、画像記録動作を停止することなく記録媒体を切断することが可能となり、処理時間が短くなる。
【００４４】
請求項８に係る発明によれば、カット位置制御手段が、搬送手段の駆動を制御することにより、画像記録動作を停止することなく記録媒体を切断することが可能となり、処理時間が短くなる。
【００４５】
請求項９に係る発明によれば、カット位置検知手段の情報により前記カット位置を制御することにより、画像記録動作を停止することなく記録媒体を切断することが可能となり、処理時間が短くなる。
【００４６】
請求項１０に係る発明によれば、カット位置検知手段は、前記搬送手段の搬送量を検知し、カット位置制御手段は、カット位置検知手段の情報により前記カット位置を制御することにより、画像記録動作を停止することなく記録媒体を切断することが可能となり、処理時間が短くなる。
【００４７】
又、記録媒体上にカット位置を指示する手段が不要となるので、記録媒体の画像記録面上にそのようなカット位置を指示する手段が残って、画像記録面の美観を損ねることがなくなり、又、コストダウンも図れる。
【００４８】
請求項１１に係る発明によれば、前記カット位置検知手段は、前記記録媒体の先端を検知する先端検知手段を含むことにより、カット位置制御手段は、前記先端検知手段の検知結果に基づいて、カット手段の切断タイミングを制御することにより、画像記録動作を停止することなく記録媒体を切断することが可能となり、処理時間が短くなる。
【００４９】
又、記録媒体上にカット位置を指示する手段が不要となるので、記録媒体の画像記録面上にそのようなカット位置を指示する手段が残って、画像記録面の美観を損ねることがなくなり、又、コストダウンも図れる。
【００５０】
請求項１２に係る発明によれば、前記先端検知手段は、記録する画像の大きさに対応して複数設けられていることにより、大きさの異なる記録媒体に対しても正確な位置で切断することができる。
【００５１】
請求項１３に係る発明によれば、カット位置制御手段は、前記カット位置検知手段が前記カット位置検知手段を検知した結果に基づいて、前記カット位置を制御することにより、画像記録を停止することなく記録媒体を切断することが可能となり、処理時間が短くなる。
【００５２】
請求項１４に係る発明によれば、前記カット位置指示手段が画像記録時に前記記録媒体に記録され、前記カット位置検知手段が前記カット位置指示手段を検知した結果に基づいてカット位置制御手段が前記カット位置を制御することにより、画像記録動作を停止することなく、記録媒体を切断することが可能となり、処理時間が短くなる。
【００５３】
また、画像記録時にカット位置指示手段を記録することにより、特別な記録媒体を使用することなく画像の大きさに合わせてカット位置を制御することができる。
【００５４】
請求項１５に係る発明によれば、前記カット位置検知手段が予め前記記録媒体に記録されているカット位置支持手段を検知した結果に基づいて、前記カット位置制御手段が前記カット位置を制御することにより、画像記録動作を停止することなく記録媒体を切断することが可能となり、処理時間が短くなる。
【００５５】
また、カット位置指示手段が予め記録媒体に記録されていることにより、画像記録時に余計な手間をかけることなくカット位置を制御することができる。
【００５６】
請求項１６に係る発明によれば、カット位置指示手段を可視外波長の吸収性がある所定のパターン、即ち、視認できないパターンとすることにより、画像記録面にカット位置指示手段を設けても、画像に影響がなくなる。
【００５７】
請求項１７記載に発明よれば、前記カット位置指示手段を前記記録媒体の記録面側に設ける場合は、前記記録手段を用いることができ、コストダウンが図れる。
【００５８】
請求項１８記載によれば、前記カット位置指示手段を前記記録媒体の記録面側と反対側に設ける場合は、画像への影響がなく、また、カット位置指示手段以外の情報を多く記録することができる。
【００５９】
請求項１９に係る発明によれば、前記カット位置指示手段の前後２カ所で前記記録媒体を切断することにより、カット位置指示手段を画像が記録された記録媒体から取り除くことができ、またふちなしプリントを作成できる。
【００６０】
請求項２０に係る発明によれば、前記カット手段は、前記記録媒体の２カ所を連続的に切断することにより、すなわち、１カ所づつ２回に分けて切断することにより、刃物が１つでよいので、コストが安くなる。
【００６１】
請求項２１に係る発明によれば、前記カット手段は、前記記録媒体の２カ所を同時に切断することにより、すなわち、２カ所を同時に切断することにより、切断に要する時間が短くてすむ。
【００６２】
請求項２２に係る発明によれば、前記カット位置制御手段は、記録する画像の大きさに応じて、前記カット位置指示手段の前後の切断箇所の間の距離を変えることにより、記録媒体の搬送量の誤差による切断箇所の修正を容易に行える。
【００６３】
請求項２３に係る発明によれば、カット位置指示手段の大きさ、前記カット位置指示手段の前後に設けるパタンの大きさ、前記カット位置指示手段の前後に設ける無記録領域の大きさのうち、少なくとも１つを記録する画像の大きさに応じて変化させることにより、確実に画像と画像との間で切断することができる。
【００６４】
請求項２４に係る発明によれば、前記記録媒体に記録される画像を一時格納する画像メモリと、前記記録手段で前記記録媒体上に記録された画像を撮像する撮像手段と、該撮像手段で撮像された前記記録媒体上の画像情報と、前記画像メモリに格納された画像情報とを照合する画像照合部と、有し、前記カット位置制御手段は、前記画像照合部からの情報に基づき、前記記録媒体を切断できるタイミングになったら、前記カット手段を駆動して前記記録媒体を切断することにより、画像記録動作を停止することなく記録媒体を切断することが可能となり、処理時間が短くなる。
【図面の簡単な説明】
【００６５】
【図１】第１の実施の形態例の画像形成装置の全体構成を示す斜視図である。
【図２】図１の矢印ＩＩＩ正面から見た断面構成図である。
【図３】図１のキャリッジ２０の斜視図である。
【図４】矢印ＩＶ方向から見た図である。
【図５】図３の矢印Ｖ方向から見た図である。
【図６】図１の吸引手段６の斜視図である。
【図７】図６の断面構成図である。
【図８】図１のインク乾燥手段７の断面構成図である。
【図９】カットマークの一例を説明する図である。
【図１０】図１のカットマーク検知センサ９９の構成図である。
【図１１】図１の画像記録装置の電気的構成を説明するブロック図である。
【図１２】カットマークの切断の一例を説明する図である。
【図１３】ノズルを説明する図である。
【図１４】通常の記録方式を説明する図である。
【図１５】マイクロウイープ記録方式を説明する図である。
【図１６】第２の実施の形態例の画像記録装置の構成図である。
【図１７】第３の実施の形態例の画像記録装置の構成図である。
【図１８】第４の実施の形態例の画像記録装置の構成図である。
【図１９】第５の実施の形態例の画像記録装置の構成図である。
【図２０】従来の画像記録装置の構成図である。
【発明を実施するための最良の形態】
【００６６】
（１） 第１の実施の形態例
（機械的全体構成）
第１の実施の形態例の画像形成装置の全体構成を示す斜視図である図１、図１の矢印ＩＩＩ正面から見た断面構成図である図２を用いて、本実施の形態例の機械的全体構成を説明する。
【００６７】
図において、ロール状に巻回された記録媒体１は、第１の搬送手段としての第１のローラ対３及び第２の搬送手段としての第２のローラ対４によって、矢印ＩＩ方向に挟持搬送されるようなっている。
【００６８】
尚、第１のローラ対３は図示しない駆動手段（後述する第１ローラ駆動モータ３１）によって、第２のローラ対４は図示しない駆動手段（後述する第２ローラ駆動モータ４１）によって駆動される。
【００６９】
そして、第１のローラ対３と、第２のローラ対４とを独立して駆動することにより、画像記録のための記録媒体搬送と、記録媒体１の切断のための記録媒体搬送とを独立に制御できる。
【００７０】
第１のローラ対３の上流には、記録媒体１の幅方向に対してインクを噴射して記録を行う記録手段２が設けられている。記録手段２において、記録媒体１の幅方向に設けられたガイドバー２３には、記録媒体１に対してインクを噴射するキャリッジ２０が移動可能に係合している。
【００７１】
ガイドバー２３の両端部には、プーリ２５がそれぞれ配置され、プーリ２５間にはワイヤ２４が巻回されている。そして、ワイヤ２４とキャリッジ２０とは連結され、一方のプーリ２５は図示しない駆動手段（後述するキャリッジ駆動モータ２６）により回転駆動されるようになっている。
【００７２】
従って、プーリ２５が駆動されることにより、キャリッジ２０はガイドバー２３に沿って移動することとなる。そして、記録手段２には、ガイドバー２３に沿って移動するキャリッジ２０の位置を検知するリニアエンコーダ（図示せず）９７が設けられている。
【００７３】
又、記録手段２の下流には、記録媒体１上に噴射されたインクを乾燥させるインク乾燥手段７が設けられている。更に、記録媒体１の画像記録面と反対面側には、記録手段２と対向し、記録媒体１を吸引して画像記録時の記録媒体１の浮き上がりを防止する吸引手段６が設けられている。
【００７４】
第２のローラ対４の下流には、カット手段５が設けられている。カット手段５は、記録媒体１の幅方向において記録媒体１を挟むように配置された一組のプーリ５２と、プーリ５２間に巻回されたワイヤ５１と、ワイヤ５１に設けられたカッター刃５０とからなっている。又、一組のプーリ５２のうちの一方のプーリ５２は図示しない駆動手段（後述するカッター駆動モータ５３）により駆動されるようになっている。
【００７５】
従って、プーリ５２が駆動されることにより、カッター刃５０は記録媒体１の幅方向に移動しながら記録媒体１を切断し、シート状の記録媒体１２とする。カット手段５の下流側には、切断されたシート状の記録媒体１２が積載される排紙皿８が設けられている。
【００７６】
更に、第２のローラ対４と、カット手段５との間には、記録媒体１に記録されているカット位置指示手段としてのカットマークを検知するカットマーク検知センサ９９が設けられている。
【００７７】
（キャリッジ２０）
キャリッジ２０の斜視図である図３、図３の矢印ＩＶ方向から見た図である図４、図３の矢印Ｖ方向から見た図である図５を用いて、キャリッジ２０の詳細な説明を行う。
【００７８】
キャリッジ２０には、Ｙ（黄色），Ｍ（マゼンタ），Ｃ（シアン），Ｋ（ブラック：黒）の各色のインクが貯留されるＹインクタンク２２１、Ｍインクタンク２２２、Ｃインクタンク２２３、Ｋインクタンク２２４及び、各インクタンク２２２〜２２４からのインクを噴射するＹ記録ヘッド２１１、Ｍ記録ヘッド２１２、Ｃ記録ヘッド２１３、Ｋ記録ヘッド２１４が設けられている。
【００７９】
各記録ヘッド２１１〜２１４にはインクが出射する複数のノズル２１１１、２１２１、２１３１、２１４１が設けられている。
【００８０】
（吸引手段６）
吸引手段６の斜視図である図６及び図６の断面構成図である図７を用いて説明する。
【００８１】
吸引手段６は、記録媒体１と対向する面に、一定間隔で複数の吸引穴６１が形成された箱体６０と、箱体６０内に設けられた２つの記録媒体吸引ファン６２ａ，６２ｂとからなっている。
【００８２】
記録媒体吸引ファン６２ａ，６２Ｂが駆動されることによって、箱体６０内が負圧となり吸引穴６１が設けられた面に記録媒体が吸着し、記録媒体１の浮き上がりが防止される。
【００８３】
（インク乾燥手段７）
インク乾燥手段７の断面構成図である図８を用いて説明する。インク乾燥手段７は、記録媒体１と対向する面に、複数の噴射穴７５が形成された箱体７０と、箱体７０内に設けられ、箱体７０外部の空気をた吸引するインク乾燥ファン７１と、インク乾燥ファン７１で吸引された空気を加熱するインク乾燥ヒータ７２とからなっている。
【００８４】
尚、本実施の形態例では、インク乾燥手段７から噴射される乾燥した空気によってキャリッジ２０の各記録ヘッド２１１〜２１４のノズル２１１１〜２１４１内のインクが乾燥してノズルつまりを起こすのを防止するために、噴射穴７５から噴射される空気流の方向をキャリッジ２０と反対側の方向になるように噴射穴７５の向きを設定している。
【００８５】
（カットマーク検知センサ９９）
カットマークの一例を説明する図９及びカットマーク検知センサ９９の構成図である図１０を用いて説明する。
【００８６】
図９に示すように、本実施の形態例では、記録手段２が記録媒体１に画像を記録すると、画像と画像との間にカットマーク１１（１１ａ、１１ｂ、……）を記録するようになっている。
【００８７】
カットマーク検知センサ９９は、図１０に示すように、記録媒体１の画像記録面上に光を出射する発光ダイオード９９１と、記録媒体１上で反射した光を検地するフォトトランジスタ９９２とからなっっている。
【００８８】
（電気的構成及び動作）
本実施の形態例の画像記録装置の電気的構成を説明するブロック図である図１１を用いて説明する。
【００８９】
図において、１００は本実施の形態例の画像記録装置で記録する画像のデータ（画像の記録サイズ等のパラメータ、ＹＭＣＫに色分解された画像データ）を保存しているホストコンピュータである。ホストコンピュータ１００から送出される画像データはインターフェース部９１を介して本実施の形態例の画像記録装置の取り込まれる。
【００９０】
９２は取り込んだ画像データを一時格納する画像メモリ部、９３は多値画像の階調を表現するための誤差拡散処理部、９４は画像メモリ上の画像データの並びと画像記録時の出力順序を変換するデータ並び替え処理部、９５は各記録ヘッド２１１〜２１４を駆動する記録ヘッドドライバである。
【００９１】
９８はリニアエンコーダ９７からの信号を取り込み、インクの出射タイミングのパルス信号を生成し、画像メモリ９２、誤差拡散処理部９３、データ並び替え処理部９４、記録ヘッドドライバ９５へ供給するインク出射タイミング生成部、９は各種制御を行うＣＰＵ等からなる制御部である。
【００９２】
（動作）
図１１を参照して、動作を説明する。
【００９３】
（１）制御部９は、ホストコンピュータ１００からの画像データ転送に先立ち、カットマーク１１を記録するための所定データを画像メモリ９２に書き込む。
【００９４】
（２）ホストコンピュータ１００より記録すべき１つめの画像に関する、記録サイズ等の画像パラメータが転送される。画像パラメータはインターフェース部９１を介し、制御部９に転送される。
【００９５】
（３）画像パラメータに続き、ホストコンピュータ１００より１つめの画像データが転送開始される。画像データはインターフェース部９１を介し、画像メモリ９２に転送される。
【００９６】
画像メモリ９２に所定量（一走査分）のデータが格納されると、制御部９は以下に説明する一連の動作を開始する。
【００９７】
（４）制御部９は、モータドライバ６３を作動し、吸引手段６の記録媒体吸引ファン６２ａ、６２ｂを駆動する。
【００９８】
（５）制御部９は、モータドライバ７３を作動し、インク乾燥ファン７１を駆動するとともに、インク乾燥ヒータ７２を作動させる。
【００９９】
（６）制御部９は、モータドライバ３２を作動し、第１ローラ駆動モータ３１を駆動して第１のローラ対３を回転させて、記録媒体１を所定の記録開始位置まで搬送する。
【０１００】
（７）制御部９は、モータドライバ２７を作動し、キャリッジ駆動モータ２６を駆動する。キャリッジ駆動モータ２６は、プーリ２５、ワイヤ２４を介し、記録ヘッド２１を搭載したキャリッジ２０をガイドバー２３に沿って、記録媒体１の搬送方向に対し垂直の方向に移動させる。
【０１０１】
キャリッジ２０の移動に伴い、キャリッジ２０の移動方向に沿って設けられたリニアエンコーダ９７は、キャリッジ２０が所定量移動するごとにパルス信号を発生し、このパルス信号はインク射出タイミング生成部９８に入力される。インク射出タイミング生成部９８は、パルス信号を元にタイミング信号を生成し、画像メモリ９２、誤差拡散処理部９３、データ並び替え処理部９４、記録ヘッドドライバ９５に供給する。
【０１０２】
これにより、画像メモリ９２から記録すべき画像のデータが順次読み出され、誤差拡散処理部９３、データ並び替え処理部９４を経て記録ヘッドドライバ９５に入力され、画像データに応じた信号がキャリッジ２０の移動と同期して記録ヘッド２１に供給され、記録ヘッド２１に設けられたノズル２１１１〜２１４１からＹ、Ｍ、Ｃ、Ｋのインクが記録媒体１に向けて射出され、記録媒体１上に画像が形成される。
【０１０３】
（８）キャリッジ２０が記録画像のサイズに応じた所定量移動すると、制御部９はキャリッジ駆動モータ２６を停止し、キャリッジ２０を停止する。インクの射出も停止する。
【０１０４】
（９）制御部９は、モータドライバ３２を作動し、第１ローラ駆動モータ３１を駆動して第１のローラ対３を回転させて、記録媒体１を後述の所定量だけ搬送する。
【０１０５】
（１０）記録媒体１の所定量の搬送が終了すると、制御部９は、モータドライバ２７を作動し、キャリッジ駆動モータ２６を前回と逆方向に回転し、キャリッジ２０を前回と逆方向に移動する。以下、前回と同様に、キャリッジ２０の移動に同期して記録ヘッドよりインクが射出され、記録媒体１上に画像が形成される。
【０１０６】
以下、（８）（９）（１０）を繰り返す。
【０１０７】
（１１）一方で、ホストコンピュータからは、画像データの転送が並行して行われ、インターフェース部９１を介して画像メモリ９２に順次格納されていく。画像メモリ内の既に画像記録された画像データが格納されているエリアは、空き領域として、新しい画像データが上書きされ、前のデータは消失する。
【０１０８】
万一、ホストコンピュータ１００からの画像データ転送が間に合わず、画像メモリ９２に転送・格納された未記録画像データが所定量以下になってしまった場合は、制御部９はこれを検知して、格納データが所定量以上となるまで、キャリッジ２０の移動を開始しない。
【０１０９】
逆に、ホストコンピュータ１００からの画像データ転送が速く、画像メモリに空き領域がなくなってしまうか、所定量以下になった場合は、画像の記録が進み、所定量以上の空き領域ができるまで、ホストコンピュータ１００からの画像データ転送を一時停止する。
【０１１０】
（１２）ホストコンピュータ１００から１つめの画像データが全て転送されると、制御部９は画像メモリ９２上の１つめの画像データの末尾に続けて、カットマーク１１を記録するための所定データを書き込む．
（１３）ホストコンピュータ１００からは、引き続き、２つめめ画像パラメータと画像データが転送され、１つめの画像と同様に順次記録媒体に記録されていく。
【０１１１】
これらの処理により１つめの画像と２つめの画像の境界には、カットマーク１１が挿入されるが、キャリッジ２０の移動、および、記録媒体１の搬送時には、画像の境界は意識することなく、２つの画像は連続して記録されていく。
【０１１２】
つまり、記録媒体搬送量と画像サイズの関係によって、（１０）の１回の記録動作で、１つめの画像の最後尾とカットマークおよび２つめの画像の先頭部を同時に記録することもある。
【０１１３】
（１４）制御部９は、第１のローラ対３による記録媒体１の移動量が所定量以上になると、モータドライバ４２を作動し、第２のローラ駆動モータ４１を駆動して第２のローラ対４を回転し、記録媒体１を第２のローラ対４の下流側へ所定量搬送する。
【０１１４】
（１５）制御部９は、第２ローラ対４を回転中に、カットマーク検知センサ９９によりカットマーク１１を検出すると、カットマーク１１がカット位置に来るように、カットマーク１１を検知した時点から第２のローラ対４を所定量回転した後、第２のローラ対４の回転を停止する。
【０１１５】
（１６）制御部９は、モータドライバ５４を作動し、カッター駆動モータ５３を駆動してプーリ５２を回転し、ワイヤ５１を介してカッター刃５０を記録媒体１の搬送方向と垂直の方向に移動し、記録媒体１を切断する。
【０１１６】
制御部９は、カッター刃５０を記録媒体１の幅に応じた所定量移動した後、カッター駆動モータ５３を停止する。
【０１１７】
（１７）切断された記録媒体１２は、排紙皿８の積載される。
【０１１８】
図１２に示すように、カットマーク１１の前後２カ所で記録媒体１を切断すれば、カットマーク１１が画像を記録した記録媒体１にのこらない。カットマーク１１の前後２カ所で記録媒体１を切断する場合、１つのカット手段５で、１カ所づつ２回に分けて切断してもよいし、２つのカット手段を設け、２カ所同時に切断しても良い。
【０１１９】
ここで、１つのカット手段５で、１カ所づつ２回に分けて切断する場合は、刃物が１つでよいので、コストが安くなる。又、２つのカット手段を設け、２カ所同時に切断する場合は、切断に要する時間が短くてすむ。
【０１２０】
さらに、２カ所切断する場合、画像を含んで切断すればふちなしプリントとすることができる。
【０１２１】
ここで、記録ヘッド２１に設けられたノズル２１１１〜２１４１の詳細を示す図１３及び送り量の方式を示す図１４、図１５を用いて、（９）で述べた記録媒体１の１回の搬送量について説明する。
【０１２２】
図１３では、ノズル２１１１〜２１４１がピッチｐでＮ個並んでいる様子を示している。図５では、このようなノズル２１１１〜２１４１を持った記録ヘッド２１１〜２１４がＹ，Ｍ，Ｃ，Ｋの計４ケキャリッジ２０に搭載されている。
【０１２３】
図１４、図１５は、図１３に示すようなノズル２１１１〜２１４１で画像を記録する様子を示したもので、ノズル数Ｎ＝７で、ライン記録密度をノズルピッチｐの１／４とした場合を示している。
【０１２４】
図１４は、通常の記録方式で、画素ピッチずつ記録媒体１を搬送して同一のノズルで隣接する画素を記録し、ノズルとノズルの間の画素をすべて記録したら、ノズル全長Ｌ分だけ記録媒体を搬送する方式である。
【０１２５】
図１５はマイクロウイープと呼ばれる記録方式で、主走査１回当たりの記録媒体搬送量（副走査量）が一定となる方式である。隣接する２ラインを異なるノズルで記録するのが特徴で、ノズルごとにインク射出量や射出角度にばらつきがあるときは、通常の記録方式よりも、画像ムラが目立たないという特徴がある。
【０１２６】
上記構成によれば、第１のローラ対（第１の搬送手段）３と、第２のローラ対（第２の搬送手段）４を独立に駆動制御することにより、画像記録動作を停止することなく記録媒体１を切断することが可能となり、処理時間が短くなる。
【０１２７】
尚、本発明は、上記実施の形態例に限定するものではない。
【０１２８】
（１） 上記構成では、記録手段２を用いて、記録媒体１の記録面側にカットマーク１１を設けたが、記録手段２と異なる記録手段を用いて、カットマーク１１を設けても良い。
【０１２９】
この場合、記録手段２に用いられているインクと異なる種類のインク、例えば、可視外波長の吸収性があるインク（視認できないインク）を用いることで、画像記録面にカットマークを設けても、画像に影響がなくなる。
【０１３０】
又、記録手段２と異なる記録手段を用いてカットマークを記録媒体１の画像記録面と反対側の面に設けることが可能となり、カットマーク以外の情報、例えば、画像のデータ情報、プリント条件、プリント日時、コメント等を記録することができる。
【０１３１】
記録手段２と異なる記録手段としては、インクジェット方式、溶融熱転写方式、昇華熱転写方式、ドットインパクト方式等があるが限定するものではない。
【０１３２】
（２） 上記構成では、カットマーク１１を画像記録中に設けたが、記録画像の大きさが一定の場合、予め記録媒体１にカットマークを設けておいても良い。
【０１３３】
（３） 上記構成では、記録媒体１の切断タイミングは、第２ローラ対４を回転中にカットマーク検知センサ９９がカットマーク１１を検出すると、制御部９は、カットマーク１１がカット位置に来るように、カットマーク１１を検知した時点から第２のローラ対４を所定量回転させるようにしたが、制御部９は、第１のローラ対３の搬送量を検知し、記録媒体１を切断しても、画像記録に影響がない状態になったら、第２のローラ対４を駆動し、第２のローラ対の搬送量によりカット手段５の切断タイミングを制御するようにしてもよい。
【０１３４】
又、記録媒体の先端を検知する先端検知手段を設け、制御部９は、第１のローラ対３の搬送量を検知し、記録媒体１を切断しても画像記録に影響がない状態になったら、第２のローラ対４を駆動し、先端検知手段の検知結果に基づいて、カット手段５の切断タイミングを制御するようにしてもよい。
【０１３５】
この場合、先端検知手段は、切断する記録媒体１の長さに応じて複数の先端検知手段を異なる位置に設けてもよい。上記構成によれば、カットマーク１１が不要となるので、記録媒体１の画像記録面上の美観が向上し、さらに、コストダウンを図ることができる。
【０１３６】
（４） カットマーク１１と画像を混同するのを防止するため、カットマーク１１前後に無記録帯を設け、カットマーク１１の記録時に１つ前のカットマーク１１からの距離を記憶しておき、センサ位置にカットマーク１１が現れるのを予測する。予測位置近傍で検出されたカットマーク１１のみカット位置の基準に使用し、それ以外は画像の一部と判断する。
【０１３７】
カットマーク１１の出現予測位置と実際に検出する位置の誤差は、通常ローラ送り精度等に起因し、記録蝶体搬送量が多くなるほど誤差は大きくなる。例として、搬送量の±１％の誤差が生じる場合、１００ｍｍ搬送する間に±１ｍｍの搬送誤差が生じうる。従って、カットマークの前後に１ｍｍずつの無記録領域を設ければ、カットマーク出現予測位置の前後１ｍｍの間に検出されるカットマークは、画像ではなくカットマークであると断定することができる。
【０１３８】
２００ｍｍ搬送する場合は、±２ｍｍの搬送誤差が生じうるので、カットマークの前後に２ｍｍずつの無記録領域を設ければ、カットマーク出現予測位置の前後２ｍｍの間に検出されるカットマークは、画像ではなくカットマークであると断定することができる。
【０１３９】
尚、カットマーク１１の前後を無記録領域とする代わりに所定のバターンとしたり、カットマーク１１自体の大きさを変えても、同様の効果を得ることができる。
【０１４０】
このようにすれば、確実に画像と画像との間で記録媒体１を切断することができる。
（２）第２の実施の形態例
第２の実施の形態例の画像記録装置の構成図である図１６を用いて説明する。尚、第１の実施の形態例のと同一部分には、同一符号を付し、重複した説明を省略する。
【０１４１】
図において、画像処理部９００は、ホストコンピュータ１００から画像ゾデータの階調の不連続性を補正する誤差拡散処理及び画像メモリ９２上の画像データの並びと画像記録時の出力順序を一致させるデータ並び替え等を行なう。
【０１４２】
又、画像処理部９００で処理されたデータは、記録ヘッドドライバ９５へ送られると共に、一画像分のデータがメモリ９０１に格納されるようになっている。第２のローラ対４の下流には、記録手段２で記録媒体１上に記録された画像を撮影するＣＣＤ等の撮像素子９０３が設けられている。
【０１４３】
画像照合部９０５は、撮像素子９０３で撮像された記録媒体１上の画像情報と、メモリ９０１に格納された画像情報（記録手段２へ送られた画像データ）との照合を行なうようになっている。
【０１４４】
そして、制御部９は、画像照合部９０５からの情報に基づき、記録媒体１を切断できるタイミングになったら、第２のローラ対４を停止し、カット手段５を駆動して記録媒体１を切断する。
【０１４５】
このような構成によっても、画像記録動作を停止することなく記録媒体を切断することが可能となり、処理時間が短くなる。尚、本発明は、上記実施の形態例に限定するものではない。上記実施の形態例では、第１及び第２のローラ対３，４を設けたが、第１のローラ対３のみでも良い。この場合、制御部９は第１のローラ対３及びカット手段５を制御駆動することとなる。
【０１４６】
（３）第３の実施の形態例
第３の実施の形態例の画像記録装置の構成図である図１７を用いて説明する。尚、第１の実施の形態例のと同一部分には、同一符号を付し、重複した説明を省略する。
【０１４７】
第１の実施の形態例では、第１のローラ対３及び第２のローラ対４を記録手段２の下流に配置したが、本実施の形態例では、第１のローラ対３を記録手段２の上流に配置し、第２のローラ対４を記録手段２の下流に配置した点である。
【０１４８】
このような構成の場合、第１のローラ対３と記録手段２との間で記録媒体１がたるまないように、吸引手段６の吸引力を設定すれば、第１のローラ対（第１の搬送手段）３と、第２のローラ対（第２の搬送手段）４を独立に駆動制御することにより、画像記録動作を停止することなく記録媒体１を切断することが可能となり、処理時間が短くなる。第１の実施の形態例と同様な動作及び効果を得ることができる。
【０１４９】
（４）第４の実施の形態例
第４の実施の形態例の画像記録装置の構成図である図１８を用いて説明する。尚、第１の実施の形態例のと同一部分には、同一符号を付し、重複説明を省略する。
【０１５０】
第１の実施の形態例と本実施の形態例との相違点は、第１のローラ対３と第２のローラ対４との間に図示しないガイドによって上下方向に移動可能に設けられた第３ローラ１１００を設け、第１のローラ対３を通過した記録媒体１を第３ローラ対１１００を介してたるませて第２のローラ対４へ挟持させた点である。
【０１５１】
この第３ローラ１１００はスプリング等の付勢手段１１０２により下方に付勢されている。そして、第３ローラ１１００の位置を検出して記録媒体１のたるみが所定量以上になったことを検知するたるみ量上限検知センサ１１１０と、記録媒体１のたるみが所定量以下になったことを検知するたるみ量下限検知センサ１１１２とを設けている。
【０１５２】
このような構成の場合、たるみ量が上限以上となったときは、たるみ量が上限未満となるまで記録手段２による画像記録を停止すると共に、第１のローラ対３による記録媒体１の搬送を停止し、たるみ量が下限未満となったときには、たるみ量が下限以上となるまで、カット手段５による記録媒体１の切断を中止すると共に第２のローラ対４による記録媒
体１の搬送を停止する。
【０１５３】
上記構成によっても、第１のローラ対（第１の搬送手段）３と、第２のローラ対（第２の搬送手段）４を独立に駆動制御することにより、画像記録動作を停止することなく記録媒体１を切断することが可能となり、処理時間が短くなる。
【０１５４】
（５）第５の実施の形態例
第５の実施の形態例の画像記録装置の構成図である図１９を用いて説明する。尚、第１の実施の形態例のと同一部分には、同一符号を付し、重複説明を省略する。
【０１５５】
本実施の形態例と第１〜第４の実施の形態例との相違点は、ライン状記録ヘッド２０００を用いた点である。上記構成によっても、第１のローラ対（第１の搬送手段）３と、第２のローラ対（第２の搬送手段）４を独立に駆動制御することにより、画像記録動作を停止することなく記録媒体１を切断することが可能となり、処理時間が短くなる。
【０１５６】
さらに、このようなライン状の記録ヘッド２０００を用いると、記録媒体１を切断するために第２のローラ対４を停止した場合でも、第１のローラ対３はライン状の記録ヘッド２０００による画像記録と同期して作動させることができ、画像記録速度を低下させることがない。
【符号の説明】
【０１５７】
１ 記録媒体
２ 記録手段
３  第１のローラ対（第１の搬送手段）
４  第２のローラ対（第２の搬送手段）
５ カット手段
【図１】
2010162902.tif 000003
【図２】
2010162902.tif 000004
【図３】
2010162902.tif 000005
【図４】
2010162902.tif 000006
【図５】
2010162902.tif 000007
【図６】
2010162902.tif 000008
【図７】
2010162902.tif 000009
【図８】
2010162902.tif 000010
【図９】
2010162902.tif 000011
【図１０】
2010162902.tif 000012
【図１１】
2010162902.tif 000013
【図１２】
2010162902.tif 000014
【図１３】
2010162902.tif 000015
【図１４】
2010162902.tif 000016
【図１５】
2010162902.tif 000017
【図１６】
2010162902.tif 000018
【図１７】
2010162902.tif 000019
【図１８】
2010162902.tif 000020
【図１９】
2010162902.tif 000021
【図２０】
2010162902.tif 000022
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
記録媒体を搬送する第１の搬送手段と、
前記第１の搬送手段による記録媒体の搬送方向と直交する方向に走査しながら、前記第１の搬送手段により搬送された前記記録媒体に対して画像記録を行う記録手段と、
前記記録手段により画像記録が行われた前記記録媒体を切断するカット手段と、
前記記録手段により画像記録が行われた前記記録媒体を前記カット手段に搬送する第２の搬送手段と、
を有し、
前記記録手段による画像記録と前記第１の搬送手段による所定量の搬送とを繰り返し行って前記記録媒体上に画像を形成するよう制御するとともに、
前記第１の搬送手段と前記第２の搬送手段とを独立して駆動することにより、画像記録のための前記第１の搬送手段による搬送・搬送停止及び所定量の搬送と、記録媒体の切断のための前記第２の搬送手段による搬送・搬送停止と所定量の搬送とをそれぞれ独立に制御することを特徴とする画像記録装置。
【請求項２】
前記第１の搬送手段と前記第２の搬送手段との間に移動可能に設けられ、前記第１の搬送手段と前記第２の搬送手段との間の前記記録媒体に対して当接するローラと、
前記ローラに対して圧力をかける加圧手段と、
を有することを特徴とする請求項１記載の画像記録装置。
【請求項３】
前記第１の搬送手段と前記第２の搬送手段との間でたるんだ前記記録媒体のたるみ量を検知するたるみ量検知手段を設けたことを特徴とする請求項１または２記載の画像記録装置。
【請求項４】
前記記録手段は、インクを噴射して画像記録を行うことを特徴とする請求項１乃至３のいずれかに記載の画像記録装置。
【請求項５】
前記カット手段による前記記録媒体のカット位置を制御するカット位置制御手段を有することを特徴とする請求項１又は６記載の画像記録装置。
【請求項６】
前記カット位置制御手段は、前記搬送手段の駆動を制御することを特徴とする請求項５記載画像記録装置。
【請求項７】
カット位置を検知するカット位置検知手段を有し、
前記カット位置制御手段は、前記カット位置検知手段の情報により前記カット位置を制御することを特徴とする請求項５又６記載の画像記録装置。
【請求項８】
前記カット位置検知手段は、前記搬送手段の搬送量を検知することを特徴とする請求項７記載の画像記録装置。
【請求項９】
前記カット位置検知手段は、前記記録媒体の先端を検知する先端検知手段を含むことを特徴とする請求項７又は８記載の画像記録装置。
【請求項１０】
前記カット位置検知手段は、前記記録媒体に設けられたカット位置指示手段を検知することを特徴とする請求項７乃至９のいずれかに記載の画像記録装置。
【請求項１１】
前記カット位置指示手段は、画像記録時に前記記録媒体に記録されることを特徴とする請求項１０記載の画像記録装置。
【請求項１２】
前記カット位置指示手段は、予め前記記録媒体に記録されていることを特徴とする請求項１０記載の画像記録装置。
【請求項１３】
前記カット位置指示手段は、前記記録媒体の記録面側に設けられていることを特徴とする請求項１０乃至１２のいずれかに記載の画像記録装置。
【請求項１４】
前記カット位置指示手段は、前記記録媒体の記録面側と反対側に設けられていることを特徴とする請求項１０乃至１２のいずれかに記載の画像記録装置。
【請求項１５】
前記カット手段は、前記カット位置指示手段の前後２カ所で記録媒体を切断することを特徴とする請求項１０乃至１４のいずれかに記載の画像記録装置。
【請求項１６】
記録媒体に対して記録を行う記録手段と、
前記記録手段により記録の行われた前記記録媒体をカットするカット手段と、
前記記録手段に前記記録媒体を搬送する第１の搬送手段と、
前記カット手段に前記記録媒体を搬送する第２の搬送手段と、
記録時に前記記録媒体に記録されたカット位置指示手段を検知して、カット位置を検知するカット位置検知手段と、
前記カット手段による前記記録媒体のカット位置を制御するカット位置制御手段と、
を有し、
前記第１の搬送手段と前記第２の搬送手段とを独立して駆動することにより、画像記録のための記録媒体搬送と記録媒体の切断のための記録媒体搬送とを独立に制御し、
前記カット位置制御手段は、前記カット位置検知手段の情報により前記カット位置を制御することを特徴とする画像記録装置。
【請求項１７】
前記カット位置指示手段は、前記記録手段により前記記録媒体に記録されることを特徴とする請求項１１又は１６記載の画像記録装置。
【請求項１８】
前記記録手段による少なくとも１走査分の画像データを保持する画像メモリを有し、前記画像メモリ中に格納されたカットマークを前記記録手段により前記記録媒体に記録し、 前記記録媒体に記録されたカットマークをカットマーク検知手段により検知して、前記記録媒体のカット位置を制御することを特徴とする請求項１乃至１７のいずれかに記載の画像記録装置。
【請求項１９】
前記記録媒体上に記録される２つの画像間に、前記２つの画像の少なくとも一方の画像の一部と同一の走査でカットマークを記録し、
前記カットマークをカットマーク検知手段により検知して前記記録媒体のカット位置を制御することを特徴とする請求項１乃至１７のいずれかに記載の画像記録装置。
【手続補正２】
【補正対象書類名】明細書
【補正対象項目名】００１３
【補正方法】変更
【補正の内容】
【００１３】
請求項１に係る発明は、記録媒体を搬送する第１の搬送手段と、前記第１の搬送手段による記録媒体の搬送方向と直交する方向に走査しながら、前記第１の搬送手段により搬送された前記記録媒体に対して画像記録を行う記録手段と、前記記録手段により画像記録が行われた前記記録媒体を切断するカット手段と、前記記録手段により画像記録が行われた前記記録媒体を前記カット手段に搬送する第２の搬送手段と、を有し、前記記録手段による画像記録と前記第１の搬送手段による所定量の搬送とを繰り返し行って前記記録媒体上に画像を形成するよう制御するとともに、前記第１の搬送手段と前記第２の搬送手段とを独立して駆動することにより、画像記録のための前記第１の搬送手段による搬送・搬送停止及び所定量の搬送と、記録媒体の切断のための前記第２の搬送手段による搬送・搬送停止と所定量の搬送とをそれぞれ独立に制御することを特徴とする画像記録装置である。
【手続補正３】
【補正対象書類名】明細書
【補正対象項目名】００１４
【補正方法】変更
【補正の内容】
【００１４】
請求項２に係る発明は、前記第１の搬送手段と前記第２の搬送手段との間に移動可能に設けられ、前記第１の搬送手段と前記第２の搬送手段との間の前記記録媒体に対して当接するローラと、前記ローラに対して圧力をかける加圧手段と、を有することを特徴とする請求項１記載の画像記録装置である。
【手続補正４】
【補正対象書類名】明細書
【補正対象項目名】００１５
【補正方法】変更
【補正の内容】
【００１５】
請求項３に係る発明は、前記第１の搬送手段と前記第２の搬送手段との間でたるんだ前記記録媒体のたるみ量を検知するたるみ量検知手段を設けたことを特徴とする請求項１または２記載の画像記録装置である。
【手続補正５】
【補正対象書類名】明細書
【補正対象項目名】００１６
【補正方法】変更
【補正の内容】
【００１６】
請求項４に係る発明は、前記記録手段は、インクを噴射して画像記録を行うことを特徴とする請求項１乃至３のいずれかに記載の画像記録装置である。
【手続補正６】
【補正対象書類名】明細書
【補正対象項目名】００１７
【補正方法】変更
【補正の内容】
【００１７】
請求項５に係る発明は、前記カット手段による前記記録媒体のカット位置を制御するカット位置制御手段を有することを特徴とする請求項１又は６記載の画像記録装置である。
【手続補正７】
【補正対象書類名】明細書
【補正対象項目名】００１８
【補正方法】変更
【補正の内容】
【００１８】
請求項６に係る発明は、前記カット位置制御手段は、前記搬送手段の駆動を制御することを特徴とする請求項５記載画像記録装置である。
【手続補正８】
【補正対象書類名】明細書
【補正対象項目名】００１９
【補正方法】変更
【補正の内容】
【００１９】
請求項７に係る発明は、カット位置を検知するカット位置検知手段を有し、前記カット位置制御手段は、前記カット位置検知手段の情報により前記カット位置を制御することを特徴とする請求項５又６記載の画像記録装置である。
【手続補正９】
【補正対象書類名】明細書
【補正対象項目名】００２０
【補正方法】変更
【補正の内容】
【００２０】
請求項８に係る発明は、前記カット位置検知手段は、前記搬送手段の搬送量を検知することを特徴とする請求項７記載の画像記録装置である。
【手続補正１０】
【補正対象書類名】明細書
【補正対象項目名】００２１
【補正方法】変更
【補正の内容】
【００２１】
請求項９に係る発明は、前記カット位置検知手段は、前記記録媒体の先端を検知する先端検知手段を含むことを特徴とする請求項７又は８記載の画像記録装置である。
【手続補正１１】
【補正対象書類名】明細書
【補正対象項目名】００２２
【補正方法】変更
【補正の内容】
【００２２】
請求項１０に係る発明は、前記カット位置検知手段は、前記記録媒体に設けられたカット位置指示手段を検知することを特徴とする請求項７乃至９のいずれかに記載の画像記録装置である。
【手続補正１２】
【補正対象書類名】明細書
【補正対象項目名】００２３
【補正方法】変更
【補正の内容】
【００２３】
請求項１１に係る発明は、前記カット位置指示手段は、画像記録時に前記記録媒体に記録されることを特徴とする請求項１０記載の画像記録装置である。
【手続補正１３】
【補正対象書類名】明細書
【補正対象項目名】００２４
【補正方法】変更
【補正の内容】
【００２４】
請求項１２に係る発明は、前記カット位置指示手段は、予め前記記録媒体に記録されていることを特徴とする請求項１０記載の画像記録装置である。
【手続補正１４】
【補正対象書類名】明細書
【補正対象項目名】００２５
【補正方法】変更
【補正の内容】
【００２５】
請求項１３に係る発明は、前記カット位置指示手段は、前記記録媒体の記録面側に設けられていることを特徴とする請求項１０乃至１２のいずれかに記載の画像記録装置である。
【手続補正１５】
【補正対象書類名】明細書
【補正対象項目名】００２６
【補正方法】変更
【補正の内容】
【００２６】
請求項１４に係る発明は、前記カット位置指示手段は、前記記録媒体の記録面側と反対側に設けられていることを特徴とする請求項１０乃至１２のいずれかに記載の画像記録装置である。
【手続補正１６】
【補正対象書類名】明細書
【補正対象項目名】００２７
【補正方法】変更
【補正の内容】
【００２７】
請求項１５に係る発明は、前記カット手段は、前記カット位置指示手段の前後２カ所で記録媒体を切断することを特徴とする請求項１０乃至１４のいずれかに記載の画像記録装置である。
【手続補正１７】
【補正対象書類名】明細書
【補正対象項目名】００２８
【補正方法】変更
【補正の内容】
【００２８】
請求項１６に係る発明は、記録媒体に対して記録を行う記録手段と、前記記録手段により記録の行われた前記記録媒体をカットするカット手段と、前記記録手段に前記記録媒体を搬送する第１の搬送手段と、前記カット手段に前記記録媒体を搬送する第２の搬送手段と、記録時に前記記録媒体に記録されたカット位置指示手段を検知して、カット位置を検知するカット位置検知手段と、前記カット手段による前記記録媒体のカット位置を制御するカット位置制御手段と、を有し、前記第１の搬送手段と前記第２の搬送手段とを独立して駆動することにより、画像記録のための記録媒体搬送と記録媒体の切断のための記録媒体搬送とを独立に制御し、前記カット位置制御手段は、前記カット位置検知手段の情報により前記カット位置を制御することを特徴とする画像記録装置である。
【手続補正１８】
【補正対象書類名】明細書
【補正対象項目名】００２９
【補正方法】変更
【補正の内容】
【００２９】
請求項１７に係る発明は、前記カット位置指示手段は、前記記録手段により前記記録媒体に記録されることを特徴とする請求項１１又は１６記載の画像記録装置である。
【手続補正１９】
【補正対象書類名】明細書
【補正対象項目名】００３０
【補正方法】変更
【補正の内容】
【００３０】
請求項１８に係る発明は、前記記録手段による少なくとも１走査分の画像データを保持する画像メモリを有し、前記画像メモリ中に格納されたカットマークを前記記録手段により前記記録媒体に記録し、前記記録媒体に記録されたカットマークをカットマーク検知手段により検知して、前記記録媒体のカット位置を制御することを特徴とする請求項１乃至１７のいずれかに記載の画像記録装置である。
【手続補正２０】
【補正対象書類名】明細書
【補正対象項目名】００３１
【補正方法】変更
【補正の内容】
【００３１】
請求項１９に係る発明は、前記記録媒体上に記録される２つの画像間に、前記２つの画像の少なくとも一方の画像の一部と同一の走査でカットマークを記録し、前記カットマークをカットマーク検知手段により検知して前記記録媒体のカット位置を制御することを特徴とする請求項１乃至１７のいずれかに記載の画像記録装置である。
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】変更
【補正の内容】
【００４２】
請求項４に係る発明によれば、出力が遅いインクを噴射して記録を行う記録手段に、請求項１乃至３のいずれかにに係る発明を適用することにより、画像記録動作を停止することなく記録媒体を切断することが可能となり、処理時間が短くなる。
【手続補正２９】
【補正対象書類名】明細書
【補正対象項目名】００４３
【補正方法】変更
【補正の内容】
【００４３】
請求項５に係る発明によれば、カット手段によるカット位置を制御するカット位置制御手段を有することで、画像記録動作を停止することなく記録媒体を切断することが可能となり、処理時間が短くなる。
【手続補正３０】
【補正対象書類名】明細書
【補正対象項目名】００４４
【補正方法】変更
【補正の内容】
【００４４】
請求項６に係る発明によれば、カット位置制御手段が、搬送手段の駆動を制御することにより、画像記録動作を停止することなく記録媒体を切断することが可能となり、処理時間が短くなる。
【手続補正３１】
【補正対象書類名】明細書
【補正対象項目名】００４５
【補正方法】変更
【補正の内容】
【００４５】
請求項７に係る発明によれば、カット位置検知手段の情報により前記カット位置を制御することにより、画像記録動作を停止することなく記録媒体を切断することが可能となり、処理時間が短くなる。
【手続補正３２】
【補正対象書類名】明細書
【補正対象項目名】００４６
【補正方法】変更
【補正の内容】
【００４６】
請求項８に係る発明によれば、カット位置検知手段は、前記搬送手段の搬送量を検知し、カット位置制御手段は、カット位置検知手段の情報により前記カット位置を制御することにより、画像記録動作を停止することなく記録媒体を切断することが可能となり、処理時間が短くなる。
【手続補正３３】
【補正対象書類名】明細書
【補正対象項目名】００４８
【補正方法】変更
【補正の内容】
【００４８】
請求項９に係る発明によれば、前記カット位置検知手段は、前記記録媒体の先端を検知する先端検知手段を含むことにより、カット位置制御手段は、前記先端検知手段の検知結果に基づいて、カット手段の切断タイミングを制御することにより、画像記録動作を停止することなく記録媒体を切断することが可能となり、処理時間が短くなる。
【手続補正３４】
【補正対象書類名】明細書
【補正対象項目名】００５０
【補正方法】削除
【補正の内容】
【手続補正３５】
【補正対象書類名】明細書
【補正対象項目名】００５１
【補正方法】変更
【補正の内容】
【００５１】
請求項１０に係る発明によれば、カット位置制御手段は、前記カット位置検知手段が前記カット位置検知手段を検知した結果に基づいて、前記カット位置を制御することにより、画像記録を停止することなく記録媒体を切断することが可能となり、処理時間が短くなる。
【手続補正３６】
【補正対象書類名】明細書
【補正対象項目名】００５２
【補正方法】変更
【補正の内容】
【００５２】
請求項１１に係る発明によれば、前記カット位置指示手段が画像記録時に前記記録媒体に記録され、前記カット位置検知手段が前記カット位置指示手段を検知した結果に基づいてカット位置制御手段が前記カット位置を制御することにより、画像記録動作を停止することなく、記録媒体を切断することが可能となり、処理時間が短くなる。
【手続補正３７】
【補正対象書類名】明細書
【補正対象項目名】００５４
【補正方法】変更
【補正の内容】
【００５４】
請求項１２に係る発明によれば、前記カット位置検知手段が予め前記記録媒体に記録されているカット位置支持手段を検知した結果に基づいて、前記カット位置制御手段が前記カット位置を制御することにより、画像記録動作を停止することなく記録媒体を切断することが可能となり、処理時間が短くなる。
【手続補正３８】
【補正対象書類名】明細書
【補正対象項目名】００５７
【補正方法】変更
【補正の内容】
【００５７】
請求項１３記載に発明よれば、前記カット位置指示手段を前記記録媒体の記録面側に設ける場合は、前記記録手段を用いることができ、コストダウンが図れる。
【手続補正３９】
【補正対象書類名】明細書
【補正対象項目名】００５８
【補正方法】変更
【補正の内容】
【００５８】
請求項１４記載によれば、前記カット位置指示手段を前記記録媒体の記録面側と反対側に設ける場合は、画像への影響がなく、また、カット位置指示手段以外の情報を多く記録することができる。
【手続補正４０】
【補正対象書類名】明細書
【補正対象項目名】００５９
【補正方法】変更
【補正の内容】
【００５９】
請求項１５に係る発明によれば、前記カット位置指示手段の前後２カ所で前記記録媒体を切断することにより、カット位置指示手段を画像が記録された記録媒体から取り除くことができ、またふちなしプリントを作成できる。
【手続補正４１】
【補正対象書類名】明細書
【補正対象項目名】００６０
【補正方法】削除
【補正の内容】
【手続補正４２】
【補正対象書類名】明細書
【補正対象項目名】００６１
【補正方法】削除
【補正の内容】
【手続補正４３】
【補正対象書類名】明細書
【補正対象項目名】００６２
【補正方法】削除
【補正の内容】
【手続補正４４】
【補正対象書類名】明細書
【補正対象項目名】００６３
【補正方法】削除
【補正の内容】
【手続補正４５】
【補正対象書類名】明細書
【補正対象項目名】００６４
【補正方法】削除
【補正の内容】